(57)【要約】【課題】  折畳み式扉、引戸、又は折戸などの開閉装置の高さ調整が出来るように吊設する為の吊車の提供。【解決手段】  吊車本体２には外周に歯形を設けた偏心カム７を回転可能に軸支すると共に、該偏心カム７にはローラ４を取着し、また吊車本体２にはラック８をスライド出来るように取付け、該ラック８に設けた歯形を上記偏心カム７の歯形と噛み合わせ、そして本体２にネジ１２を取付け、該ネジ１２を回転することでラック８がスライドするように連動し、ラック８のスライドと連動して上記偏心カム７が回転し、偏心カム７に取着したローラ４の高さを調整する。【選択図】  図１
2016030947.tif 000002
【特許請求の範囲】
【請求項１】
折畳み式扉、引戸、又は折戸などの開閉装置を吊設する為の吊車において、吊車本体には外周に歯形を設けた偏心カムを回転可能に軸支すると共に、該偏心カムにはローラを取着し、また吊車本体にはラックをスライド出来るように取付けると共に、該ラックに設けた歯形を上記偏心カムの歯形と噛み合わせ、そして本体にネジを取付け、該ネジを回転することでラックがスライドするように連動し、ラックのスライドと連動して上記偏心カムが回転し、カムに取着したローラの高さを調整するようにしたことを特徴とする開閉装置の吊車。
【請求項２】
２個の偏心カムを所定の間隔をおいて本体に軸支し、ラックのスライドにより両偏心カムが同時に回転するようにした請求項１記載の開閉装置の吊車。
【請求項３】
偏心カムに穴を設け、この穴にローラの軸を嵌めて取付けた請求項１、又は請求項２記載の開閉装置の吊車。
【請求項４】
上記本体に昇降ケースを被覆して取付け、この昇降ケースを介してローラを取付けた請求項１、請求項２、又は請求項３記載の開閉装置の吊車。
【発明の詳細な説明】
【技術分野】
【０００１】
本発明は折畳み式扉、引戸、又は折戸などを上レールに吊設する為の吊車に関するものである。
【背景技術】
【０００２】
図５は折畳み式扉（折畳み式カーテン）の外観図をしめし、（ａ）は折畳み式扉が伸長して間口を閉じている場合、（ｂ）は折畳み式扉が折畳まれて間口を開口している場合を表している。折畳み式扉（イ）は複数枚のパネル（ロ）、（ロ）・・・が継手を介して連結し、上枠（ハ）、下枠（ニ）、及び両縦枠（ホ）、（ホ）を枠組みした枠体（ヘ）に装着され、折畳み扉（イ）の上端に取付けた吊車（ト）、（ト）・・・を介して上枠（ハ）に吊設されている。
【０００３】
折畳み式扉（イ）の先端には引手框（チ）が連結しており、該引手框（チ）を握って折畳み式扉（イ）を伸縮することで、間口（ヌ）は開閉することが出来る。従って、枠体（ヘ）にて構成される間口（ヌ）に折畳み式扉（イ）が装着され、パネル（ロ）、（ロ）・・・が上枠（ハ）及び下枠（ニ）と接触しないで折畳み式扉（イ）の伸縮動作が出来るように、適度なクリアランス（隙間）を設けている。
【０００４】
ところで、折畳み式扉（イ）は枠体（ヘ）の上枠（ハ）に吊車（ト）、（ト）・・・を介して吊設されているが、枠体（ヘ）の建付け工事の不具合によって、折畳み式扉（イ）の下端が下枠（ニ）に接触する場合がある。また、多くのパネル（ロ）、（ロ）・・・を連結した重い折畳み式扉（イ）の場合、長い年月の経過と共に上枠（ハ）が撓んで折畳み式扉（イ）の下端が下枠（ニ）に接触する場合もある。さらには、地震などの揺れによって枠体（ヘ）が歪んで、折畳み式扉（イ）の下端が下枠に接触して開閉操作に支障を生じることもある。
【０００５】
吊車（ト）、（ト）・・・が取付けられている継手の下端にはスライダー（ル）が設けられ、該スライダー（ル）は下枠（ニ）に形成しているガイド溝（オ）に遊嵌している。図６はスライダー（ル）が下枠（ニ）に形成しているガイド溝（オ）に遊嵌している場合を示している。したがって、折畳み式扉の開閉操作に際して、上端は吊車に吊設され、下端はスライダー（ル）にて下枠（ニ）のガイド溝に遊嵌して拘束される。
【０００６】
実開平７−３５６７７号に係る「戸車の構造」は、シンプルな構造で、部品点数も少なく、製造、組立が容易であり、しかも、車輪のレベル調整が、引戸側方から容易且つ安定した状態で行えるようにしている。
すなわち、戸車ケース内に車輪支持筺を装備し、車輪支持筺に車輪を軸支して、戸車ケースに対する車輪の高さ調節をするように構成している。
【０００７】
特開平７−１７３９６５号に係る「敷 居」は、引戸の走行路となる敷居であって、建具枠にひずみやゆがみが生じても、容易に矯正することができる敷居である。
支持部材を建築物の構造部材又は床部材に固定し、この支持部材に、引戸の走行路となる引戸受材を嵌め合わせる。このとき引戸受材は支持部材に対して上下方向に移動が可能に嵌め合わされており、引戸受材に螺合された高さ調整ねじを回転することにより、支持部材に対して上下に高さが調整される。
また、高さ調整ねじは引戸受材内に頭部を埋没した状態で、上方から回転させることができるものであり、容易に高さの調整ができるとともに、高さ調整ねじの頭部が引戸の開閉に支障を生じることもない。
【０００８】
このように、車輪の高さを調整したり又は敷居の高さを調整することで、引戸を対象とした高さ調整を行う技術は色々知られている。しかし、調整作業は面倒であり、特に本発明が対象とする開閉装置の１つである折畳み式扉の場合であれば、該折畳み式扉を吊設する吊車の高さ調整が構造上困難な場合もある。
例えば、吊車から垂下する吊ボルトを継手部材の上端に螺合して吊設する場合、上記吊ボルトを回転するならば折畳み式扉の高さ調整は可能であるが、この調整作業は非常に面倒である。
【特許文献１】実開平７−３５６７７号に係る「戸車の構造」
【特許文献２】特開平７−１７３９６５号に係る「敷 居」
【発明の開示】
【発明が解決しようとする課題】
【０００９】
このように、従来の吊車には上記のごとき問題がある。枠体の建付け不良や歪などが原因で折畳み式扉が降下する場合には持ち上げることが必要であり、又は折畳み式扉を吊設した後でその高さを微調整することが必要な場合もある。そこで、本発明が解決しょうとする課題は、簡単な作業で吊車のローラ高さを調整して、折畳み式扉、引戸、又は折戸等の開閉装置の高さの調整が簡単に行うことが出来る吊車を提供する。
【課題を解決するための手段】
【００１０】
本発明に係る吊車は、上枠に設けた上レールを走行（移動）し、折畳み式扉、引戸、又は折戸などの開閉装置を吊設することが出来る。そして、吊車にはローラを備え、該ローラは上レールを回転して走行することが出来る。
本発明では、ローラの高さを調整して開閉装置の高さ調整を行うことが出来るように構成している。ところで、吊車本体には偏心カムを軸支し、該偏心カムに上記ローラを取着し、この偏心カムが本体に設けている軸を中心として回転することで上記ローラの高さが調整される。
【００１１】
そして、上記偏心カムの外周には歯形が設けられ、該歯形は本体に取付けてスライドするラックと噛み合っている。ラックにはネジが螺合し、ネジを回転することでラックはスライドすることが出来るようにしている。すなわち、ネジを回転することでラックがスライドし、ラックと噛み合っている偏心カムは回転し、その結果、該偏心カムに取付けたローラの高さ調整を可能とする。
【発明の効果】
【００１２】
本発明に係る吊車は偏心カムにローラを取付け、ラックをスライドすることで偏心カムが回転し、偏心カムに取付けたローラの高さ調整が出来る。そしてラックにはネジが螺合している為に、該ネジは工具を用いて回転することでラックはスライド出来る。本体に取付けたローラの高さが変わることは、上レールに載っているローラを基準とするならば、本体の高さが変化する。すなわち、本体に連結して吊設される引戸、折畳み式扉、又は折戸等の開閉装置の高さ調整を行うことが出来る。
【図面の簡単な説明】
【００１３】
【図１】本発明に係る吊車の外観を示す実施例で、（ａ）はローラが高い位置にある場合、（ｂ）はローラが低い位置にある場合をそれぞれ表している。
【図２】吊車本体の内部構造を示す具体例。
【図３】本体に取付けたラックをスライドする為に取付けたネジを回す場合。
【図４】ラックが左方向へスライドして偏心カムが時計方向に回転した場合。
【図５】上枠の上レールに吊車を介して吊設された折畳み式扉で、（ａ）は伸長して間口が閉じている場合、（ｂ）は折畳まれて間口が開口している場合。
【図６】折畳み扉の継手部材下端に取付けたスライダーがガイド溝に遊嵌している場合。
【発明を実施するための形態】
【００１４】
図１は本発明の吊車１を示す外観図であり、（ａ）は一般的な標準状態を表し、（ｂ）は調整した後の状態を表している。該吊車１は、本体２、昇降ケース３、及び２個のローラ４ａ，４ｂを有し、該本体２には引戸や折畳み式扉が連結して吊設することが出来るようにしている。ここで、引戸や折畳み式扉は開閉装置の１形態であり、本発明に係る吊車１を用いて吊設する開閉装置の具体的な対象物は特に限定するものではない。
【００１５】
そして、開閉装置と連結する本体２の構造に関しても特に限定はしないことにする。同図に示すように、本体２の上端部には下方を開口した断面コ形をした昇降ケース３が被覆し、そして該昇降ケース３には上記２個のローラ４ａ，４ｂが取付けられている。ローラ４ａ，４ｂは昇降ケース３に取付けた水平な軸５ａ，５ｂに取付けられて回転することが出来る。
【００１６】
同図の（ａ）は標準状態で、本体２に対して昇降ケース３は上昇し、ローラ４ａ，４ｂの位置は高く成っている。すなわち、ローラ４ａ，４ｂを基準とするならば、本体２は降下して低い位置にある。そこで、例えば開閉装置である折畳み式扉の重量が重くて上枠が撓んだ場合、又は折畳み式扉を装着している枠体の据え付けが悪くて吊車を介して吊設した該折畳み式扉の下端が下枠に接する場合には、同図の（ｂ）に示すように本体２を上昇してその位置を高くする調整を行うことが出来る。
【００１７】
吊車１のローラ４ａ，４ｂは上枠に設けた上レールに載っており、その為に本体２を上昇させてその位置を高くすることで、吊設される折畳み式扉の高さはたくなり、その下端が下枠に接することはなく、したがって、スムーズに伸縮開閉操作を行うことが出来る。図１（ａ）では本体２の上端と昇降ケース３との間には隙間６を有しているが、図１（ｂ）では、本体２の上端と昇降ケース３との間に隙間６は存在していない。
【００１８】
図２は上記昇降ケース３を取外した状態で、本体２には偏心カム７ａ，７ｂを有し、またラック８を設けている。上記偏心カム７ａ，７ｂには回転中心からズレた位置に穴９ａ，９ｂが設けられ、また偏心カム７ａ，７ｂには歯形１０ａ，１０ｂを形成しており、ラック８にも歯形１１ａ，１１ｂが形成されている。そして偏心カム７ａの歯形１０ａはラック８の歯形１１ａと噛合い、偏心カム７ｂの歯形１０ｂはラック８の歯形１１ｂと噛合っている。
【００１９】
したがって、該ラック８が左方向へスライドするならば、両偏心カム７ａ，７ｂは回転し、同じく穴９ａ，９ｂも軸を中心として時計方向に回転してその位置は低く成る。偏心カム７ａ，７ｂには上記穴９ａ，９ｂからズレた位置に軸が設けられ、この軸を中心として回転することが出来、従って、該穴９ａ，９ｂの高さは回転に伴って変化する。
【００２０】
ところで、該穴９ａ，９ｂにはローラ４ａ，４ｂの軸５ａ，５ｂが嵌り、その為に、偏心カム７ａ，７ｂが回転するならばローラ４ａ，４ｂの高さ調整が出来る。本発明では該偏心カム７ａ，７ｂの回転はラック８をスライドさせることで行われ、その為に、該ラック８にはネジが螺合している。
【００２１】
図３は偏心カム７ａ，７ｂを回転操作する場合を表している。本体２にはネジ１２が取付けられ、該ネジ１２は本体２の側面１３から延びて上記ラック８に設けたネジ穴に螺合している。ネジ１２は本体２に回転出来るように取付けられ、その先端部がラック８に設けたネジ穴に螺合し、該ネジ１２を六角レンチ１４にて回転するならば、ラック８はスライドし、その結果、偏心カム７ａ，７ｂは回転することが出来る。
一方、ネジ１２の先端をラック８に連結し、本体側に設けたネジ穴にネジ１２を螺合することも出来る。この場合には、ネジ１２は回転に伴って前進又は後退し、該ラック８はネジ１２と共にスライドすることが出来る。
【００２２】
図４はラック８が左方向へスライドして偏心カム７ａ，７ｂが回転した場合を示している。偏心カム７ａ，７ｂが時計方向に回転することで、穴９ａ，９ｂは同図に示すようにその位置が低下する。
したがって、該穴９ａ，９ｂに取着されるローラ４ａ，４ｂの位置も低く成り、上レールに載って定位置にあるローラ４ａ，４ｂを基準とするならば図１（ｂ）に示すように本体２は上昇することが出来る。
【００２３】
ところが、地震によって枠体が歪んで上枠が撓んだ場合、又は非常に重い折畳み式扉を吊設することで時の経過に伴って上枠が撓んだ場合、継手部材の下端に取付けたスライダーは降下し、下枠との間の隙間は小さくなる。しかし、本発明の吊車１は本体２に取付けたネジ１２を回転することで折畳み式扉を持ち上げることが出来る。従って、継手部材の下端に取付けているスライダーが下枠上面に接することはなく、伸縮開閉操作をスムーズに行うことが可能となる。
【符号の説明】
【００２４】
１   吊車
２   本体
３   昇降ケース
４   ローラ
５   軸
６   隙間
７   偏心カム
８   ラック
９   穴
10   歯形
11   歯形
12   ネジ
13   側面
14   六角レンチ
【図５】
2016030947.tif 000003
【図６】
2016030947.tif 000004
【図１】
2016030947.tif 000005
【図２】
2016030947.tif 000006
【図３】
2016030947.tif 000007
【図４】
2016030947.tif 000008